(57)【特許請求の範囲】
【請求項１】
蛍光灯が取付けられる器具本体と、この器具本体を支えるとともに所定の取付け位置に取付けられる支持部材と、前記器具本体から取り出された配線とを備えた照明器具において、
前記支持部材の少なくとも一部は柱形状をなし、この柱形状をなす部分の側面には長さ方向に沿って凹部又は凸部が設けられており、
該凹部又は凸部に挿入可能な凸部又は凹部を有するとともに、前記配線を収容する収容室を備えた柱状の配線取付部材を有し、
前記収納室は、前記配線取付部材に形成され、前記支持部材の柱形状をなす部分内には形成されていない照明器具。
【請求項２】
前記配線取付部材の収納室の一部が長さ方向に沿って開口されており、前記配線の挿入及び取出口となっている請求項１に記載の照明器具。
【請求項３】
前記支持部材は、前記器具本体を支える腕受部材と、該腕受部材が取付けられる腕部材と、該腕部材が掛け止めされるとともに所定の取付け位置に取付けられる腕掛部材とからなり、
前記支持部材の柱形状をなす部分は前記腕部材である請求項１又は請求項２に記載の照明器具。
【請求項４】
前記腕受部材の一部は前記腕部材に設けられた前記凹部に挿入されて固定されてなる請求項３に記載の照明器具。
【発明の詳細な説明】
【０００１】
【発明の属する技術分野】
本発明は照明器具に係わり、特に蛍光灯が取付けられる器具本体と、この器具本体を支えるとともに所定の取付け位置に取付けられる支持部材と、前記器具本体から取り出された配線とを備えた照明器具に関する。
【０００２】
【従来の技術】
蛍光ランプを使用する照明器具は、天井照明、棚照明、ショウケース照明等に用いられている。
【０００３】
図７は棚照明用の照明器具の構成を示す説明図、図８は照明器具を支柱に取り付けた状態を示す図である。
【０００４】
図７において、１０１は蛍光ランプが取付けられた器具本体、１０２ａ，１０２ｂは器具本体１０１を支える腕受具で、器具本体１０１の側面に設けられた溝について器具本体１０１の長手方向にスライド可能となっている。腕受具１０２ａ，１０２ｂの間隔は図８の支柱１０６ａ，１０６ｂの間隔に合わせて設定される。
【０００５】
また、１０３ａ，１０３ｂは棚ストッパーであり、図８の棚１０８の位置を設定するためのものである。１０４ａ，１０４ｂは断面が「コ」の字状の腕部材であり、その端部に腕受具１０２ａ，１０２ｂの先端部が挿入されて固定されるとともに、ブラケット１０５ａ，１０５ｂに掛けられ固定されるようになっている。ブラケット１０５ａ，１０５ｂは図８に示すように、それぞれ支柱１０６ａ，１０６ｂの所定の位置に取付けられる。１０７は器具本体１０１を電源と電気的接続するための配線であり、支柱と平行に設けられたコンセントに接続される。
【０００６】
【発明が解決しようとする課題】
ところで、上記照明器具において、配線１０７は商品等の陳列のじゃまにならないように腕部材１０４ａ，１０４ｂ及びブラケット１０５ａ，１０５ｂに沿って配線されることが望ましい。かかる目的から図９のように、「コ」の字状の腕部材の側面部に断面「□」状の収納室を設けて配線を収納することも提案されている。
【０００７】
しかし、配線の引き回しは支柱の間隔に合わせてかえる必要があり、またレイアウトの変更等に柔軟に対処できるように配線の取付け、取り外しが簡単なものが望まれる。また器具本体１０１からの配線は図８に示すように、器具本体１０１の端部のいずれか一方から取り出されるのが普通なので、配線を取付けない側の腕部材に設けられる収納室は不要なものとなる。
【０００８】
【課題を解決するための手段】
本発明の照明器具は、蛍光灯が取付けられる器具本体と、この器具本体を支えるとともに所定の取付け位置に取付けられる支持部材と、前記器具本体から取り出された配線とを備えた照明器具において、
前記支持部材の少なくとも一部は柱形状をなし、この柱形状をなす部分の側面には長さ方向に沿って凹部又は凸部が設けられており、
該凹部又は凸部に挿入可能な凸部又は凹部を有するとともに、前記配線を収容する収容室を備えた柱状の配線取付部材を有し、
前記収納室は、前記配線取付部材に形成され、前記支持部材の柱形状をなす部分内には形成されていない照明器具である。
【０００９】
【発明の実施の形態】
以下、本発明の実施形態について図面を用いて説明する。
【００１０】
図１は本発明に係わる照明器具の構成を概略的に示した分解図である。なお、図１では棚照明用として好適な構成となるように、支持部材を腕受具（腕受部材）３と腕部材１とブラケット（腕掛部材）４とに分離した例を示しているが、必要に応じて各部材を一体化、即ち腕受具と腕部材、腕部材とブラケット、又は腕受具と腕部材と腕部材とブラケットを一体化してもよい。
【００１１】
図１において、１は腕部材であり、ブラケット４に掛けて取付ける部分（図中Ｓ1の領域）は「コ」の字状となっており、配線取付部材２を挿入する部分（図中Ｓ2の領域）は「Ｃ」字状（凹部）となっている。そして、配線取付部材２は腕部材１の領域Ｌ2に挿入される。
【００１２】
配線取付部材２は特に材質は限定されないが、配線を傷つけにくいゴム状弾性を有する材料から構成されることが望ましい。配線取付部材２の側部（図中Ｓ3の領域）は腕部材１の「Ｃ」の字状部に挿入可能なように「Ｔ」字状（凸部）となっているとともに、配線が挿入可能なように「Ｃ」字状となっており（図中Ｓ4の領域）、「Ｃ」字状部内は配線収納室となる。配線取付部材２の「Ｃ」字状部に挿入された配線は、その開口部（「Ｃ」字状部の開口部）から容易に挿入又は取り出される。配線取付部材２をゴム状弾性を有する材料で構成した場合には、より配線の挿入及び取り出しが容易となる。また、配線取付部材２の腕部材１への取付けも容易なものとなる。なお、図１では配線は図示していないが図２及び図３に示すように、配線８は配線取付部材２の「Ｃ」字状部内に配線取付部材２の長さ方向に沿って収納される。
【００１３】
３は腕受具であり、腕部材１に取付けられて器具本体を支える役割を担う。ここでは器具本体を上部から押え込む「コ」の字状の部分（図中Ｓ5）と、腕部材１の「Ｃ」字状部（図中Ｓ2）の領域Ｌ1にその一部が挿入される「Ｌ」字状部（図中Ｓ6）とからなっている。
【００１４】
腕部材１と配線取付部材２とは着脱可能なので、配線が不要であれば配線取付部材２を腕部材１に挿入しなければよいので、腕部材１の大きさを小さく、軽量化することができる。図２（ａ）は腕部材１と配線取付部材２とが取付けられた状態を示す図である。図２（ｂ）及び図２（ｃ）は腕部材１，配線取付部材２の変形例を示すものであり、図２（ｂ）は配線取付部材への配線の挿入及び取り出しを図中上部から行うもの、図２（ｃ）は腕部材１，配線取付部材２の結合部の凹凸をそれぞれ反対にしたものである。なお、配線取付部材２の「Ｔ」字状（凸部）は特に線状に設ける必要はなく、図３に示すように必要に応じて複数箇所（例えば、２ａ，２ｂ）に分離して設けることも可能である。なお、腕部材１の凹部及び配線取付部材２の凸部の形状は特に限定されず、例えば凹部を円形開口部、凸部を矢印形として複数箇所で結合してもよい。
【００１５】
図４は腕受具及び腕部材の取付け状態を示す側面図、図５は腕部材の構成を示すための平面図及び側面図である。図４の５は止め金具である。図４及び図１，図２（ａ）に示すように、腕部材１とブラケット４との固定は、タップが立てられた腕部材１の一方からビス６により止め金具５をブラケット４に押しつけること行われる。また、腕部材１と腕受具３とをネジ７によりネジ止めすることで行われる。
【００１６】
腕受具３に取付けられる器具本体の構成例を図６に示す。図６に示す器具本体は不図示の蛍光ランプ、この蛍光ランプと接続されるソケット２０２、このソケットが取付けられる支持体２０１から構成される。図中Ｘは点灯回路挿入する領域である。腕受具３は図６の器具本体の背面側から取付けがなされるようになっている。
【００１７】
本発明は特に棚照明用の照明器具として好適に用いられるものであるが、その他の用途、例えば、廊下，通路等の足下灯、天井や壁面の照明装置としても用いることができる。
【００１８】
【発明の効果】
以上説明したように、本発明によれば、配線の取付け、取り外しが簡単なものとなり、支持部材の構成も簡易なものとなる。また必要に応じて配線取付部材を取り外し可能なので支持部材を軽量化し、構成を簡易化することもできる。
【図面の簡単な説明】
【図１】本発明に係わる照明器具の構成を概略的に示した分解図である。
【図２】腕部材と配線取付部材とが取付けられた状態を示す図である。
【図３】配線取付部材のＴ字状部を複数箇所に分離して設けた例を示す分解図である。
【図４】腕受具及び腕部材の取付け状態を示す側面図である。
【図５】腕受具の構成を示すための平面図及び側面図である。
【図６】器具本体の構成図である。
【図７】棚照明用の照明器具の構成を示す説明図である。
【図８】照明器具を支柱に取り付けた状態を示す図である。
【図９】腕部材の構成例を示す一部斜視図である。
【符号の説明】
１  腕部材
２  配線取付部材
３  腕受具
４  ブラケット
【図１】
0003960490.tif 000002
【図２】
0003960490.tif 000003
【図３】
0003960490.tif 000004
【図４】
0003960490.tif 000005
【図５】
0003960490.tif 000006
【図６】
0003960490.tif 000007
【図７】
0003960490.tif 000008
【図８】
0003960490.tif 000009
【図９】
0003960490.tif 000010